(57)【要約】【課題】  自動販売機用押釦スイッチ装置に装着する防水用パッキンが、輸送途中あるいは組み立て途中で脱落しにくく、かつ、自動販売機用本体からの照明がこの防水パッキンによって妨げられずに、自動販売機用押釦の輪郭照明が可能となる自動販売機用押釦スイッチ装置を提供する。【解決手段】  自動販売機の前面パネルの取付け穴に防水パッキンを介して取り付けるための筒状部を有するケースと、前記ケースに組み込まれる押釦、スイッチ素子、実装基板とを有して構成され、前記ケースの前記筒状部は、前記防水パッキンの一部が嵌合して前記防水用パッキンが前記筒状部から脱落するのを防止する溝部を有する構成とする。【選択図】    図２
2007065918.tif 000002
【特許請求の範囲】
【請求項１】
自動販売機の前面パネルの取付け穴に防水パッキンを介して取り付けるための筒状部を有するケースと、前記ケースに組み込まれる押釦、スイッチ素子、実装基板とを有して構成され、
前記ケースの前記筒状部は、前記防水パッキンの一部が嵌合して前記防水用パッキンが前記筒状部から脱落するのを防止する溝部を有することを特徴とする自動販売機用押釦スイッチ装置。
【請求項２】
前記溝部の内径は、前記筒状部の外径に等しいことを特徴とする請求項１に記載の自動販売機用押釦スイッチ装置。
【請求項３】
前記溝部の溝幅は、前記溝部に嵌合する前記防水パッキンの嵌合部分の厚みより小さいことを特徴とする請求項１に記載の自動販売機用押釦スイッチ装置。
【請求項４】
前記防水用パッキンは、嵌合部、圧縮部、及びディスク部とを有して表裏対称形状で構成され、前記筒状部の前記溝部は、前記防水用パッキンの前記嵌合部に嵌合することを特徴とする請求項１に記載の自動販売機用押釦スイッチ装置。
【請求項５】
前記筒状部の前記溝部は、前記防水用パッキンの嵌合部の嵌合深さと厚みとの比が１以上である嵌合部と嵌合することを特徴とする請求項４に記載の自動販売機用押釦スイッチ装置。
【発明の詳細な説明】
【技術分野】
【０００１】
本発明は、自動販売機の前面パネルの表側に取り付けられる自動販売機用押釦スイッチ装置に関し、特に、自動販売機の防水性を確保するための防水用パッキンが輸送途中や組み立て時に脱落しにくい構成を有する自動販売機用押釦スイッチ装置に関する。
【背景技術】
【０００２】
缶飲料、煙草等の物品を自動販売する自動販売機は、コインや紙幣の投入と引き換えに無人で終日販売できるため、駅、店舗や道路の近傍、駐車場、人の集まる場所等に広く設置されている。このため、雨水等が自動販売機内部へ浸入しないようにする必要があり、何らかの防水対策が施されている。特に、自動販売機の前面パネルの表側に取り付けられる自動販売機用押釦スイッチ装置と、前面パネルとの接合部には、防水対策を施す必要がある。
【０００３】
そこで、基板取付部材の内側突起をケースの基板取付部材用係止穴に差し込み、基板取付部材を回転させ、ねじをリフレクタのねじ穴に螺合すると、ケースが自動販売機の前面パネル側に引き込まれ、ケースの頭部と前面パネルとの間に設けたパッキンが圧縮変形して自動販売機内の防水が図られる自動販売機用押釦スイッチ装置が提案されている(例えば、特許文献１参照)。
【０００４】
また、電照板に開口した販売釦取付け用の窓穴に対し、電照板を挟んでその前後面に装着してねじ締結した化粧枠、およびその取付金と、前面に販売釦を並置固定し、かつ販売釦の端面を前記化粧枠を通じて前方へ臨ませるように取付金の裏面側に重ねて化粧枠にねじ締結した販売釦の取付台とからなり、かつ電照板の開口部周縁に沿って前記取付金の前面と電照板との間、および取付金と裏面と販売釦取付台との間にそれぞれ防水パッキンを介在させて組立てる商品選択用販売釦の取付け構造が提案されている(例えば、特許文献２参照)。
【０００５】
【特許文献１】特開２００２−１４０７５８号公報
【０００６】
【特許文献２】特開平８−７７４２７号公報
【発明の開示】
【発明が解決しようとする課題】
【０００７】
しかし、特許文献１に開示された自動販売機用押釦スイッチ装置によれば、ケースの頭部と前面パネルとの間に設けたパッキンは、前面パネルのパネル穴に差し込まれるケースの筒状部に装着されるが、筒状部及びその周辺にパッキンの脱落防止は施されておらず、自動販売機用押釦スイッチ装置の輸送途中あるいは組み立て途中でパッキンが脱落する問題が生じていた。
【０００８】
また、特許文献２に開示された商品選択用販売釦の取付け構造によれば、防水パッキンは、あらかじめ取付金の額縁周縁に沿って貼り付けておき、電照板との間に挟みこんでねじ締結するが、材質の特性から防水パッキンを貼り付けるため光の透過性が犠牲になり、自動販売機内部の光を受けて商品選択用販売釦の周囲を光らせる、いわゆる、輪郭照明ができないという問題があった。
【０００９】
従って、本発明の目的は、自動販売機用押釦スイッチ装置に装着する防水用パッキンが、輸送途中あるいは組み立て途中で脱落しにくく、かつ、自動販売機用本体からの照明がこの防水パッキンによって妨げられずに、自動販売機用押釦の輪郭照明が可能となる自動販売機用押釦スイッチ装置を提供することにある。
【課題を解決するための手段】
【００１０】
本発明は、上記目的を達成するために、自動販売機の前面パネルの取付け穴に防水用パッキンを介して取り付けるための筒状部を有するケースと、前記ケースに組み込まれる押釦、スイッチ素子、実装基板とを有して構成され、前記ケースの前記筒状部は、前記防水用パッキンの一部が嵌合して前記防水パッキンが前記筒状部から脱落するのを防止する溝部を有することを特徴とする自動販売機用押釦スイッチ装置を提供する。
【発明の効果】
【００１１】
本発明の自動販売機用押釦スイッチ装置によれば、自動販売機用押釦スイッチ装置に装着する防水パッキンが、輸送途中あるいは組み立て途中で脱落するのを防止でき、輸送あるいは組み立ての効率化、コスト低減等を可能にできる。また、上記の効果に加えて、自動販売機用本体からの照明がこの防水用パッキンによって妨げられずに、自動販売機用押釦の輪郭照明を可能とすることができる。
【発明を実施するための最良の形態】
【００１２】
（自動販売機の構成）
図１は、本発明の実施の形態に係る自動販売機用押釦スイッチ装置が装着される自動販売機の外観を示す図である。自動販売機１は、販売用物品である各種の缶飲料（販売用物品）等を収納し、商品価格に応じたコインや紙幣の投入又は挿入により、各種の缶飲料等を販売する販売機本体２と、販売用物品を展示したり、商品選択のための操作部を有する販売機前面部３とから構成される。
【００１３】
販売機本体２は、商品種ごとに複数個の販売用物品を収納するほか、代金と引き換えに指定の商品を外部に払い出すための物品払出ユニット、コインや紙幣による代金を収納する代金収納部、釣り銭を支払う機構等を内蔵している。販売機前面部３は、光透過性部材からなる前面上部カバーとしての前面パネル４を前面上部に備えている。アクリル板等で構成される前面パネル４の表面には、商品選択時に押す押釦１０１が装着された自動販売機用押釦スイッチ装置１００が、展示用物品に対応して、防水処理を施して装着されている。
【００１４】
さらに、前面パネル４の背面部には、展示用物品を並べて展示するための展示スペースが確保されて、この展示スペース及び展示用物品は、主に背面から図示しない照明装置により照明されている。この照明装置からの照明光は、前面パネル４及び自動販売機用押釦スイッチ装置１００の押釦ユニットケース１０４を透過して、自動販売機用押釦スイッチ装置１００に装着された押釦１０１の周囲を光らせて、輪郭照明を行っている。
【００１５】
（自動販売機用押釦スイッチ装置の構成）
図２は、自動販売機用押釦スイッチ装置の全体を示すものであり、（ａ）は、上から見た平面図、（ｂ）は、その横断面を示す図である。
【００１６】
本発明の実施の形態に係る自動販売機用押釦スイッチ装置１００は、押釦１０１、スイッチ１０２等が実装される実装基板１０３と、実装基板１０３を内部に搭載して、自動販売機１の前面パネル４に装着される押釦ユニットケース１０４とを有する。
【００１７】
実装基板１０３には、１又は２以上のスイッチ１０２が実装され、各スイッチ１０２には商品購入者が商品選択に使用する押釦１０１が装着されている。実装基板１０３には、これらスイッチ１０２等の他に、図示しない、制御部品、自動販売機本体回路部への接続用ハーネス及びコネクタ等の、自動販売機用押釦スイッチ装置１００の動作に必要な部品及び接続配線等が実装されている。
【００１８】
押釦ユニットケース１０４は、その内部にスイッチ１０２等が実装された実装基板１０３が組み込まれ、スイッチ１０２に装着された押釦１０１の一部は、商品選択のために押すことが可能なように、押釦ユニットケース１０４の外部に露出している。また、押釦ユニットケース１０４は、押釦１０１の輪郭照明を行うため、自動販売機１に備えた照明装置からの照明光の一部又は全部を透過させる樹脂で形成されているのが好ましい。
【００１９】
図３は、図２に示すＡ部を拡大して示す図である。押釦ユニットケース１０４が前面パネル４に装着される側には、前面パネル４の取り付け穴４ａに対応して、筒状部１０４ａが形成されている。筒状部１０４ａは、図２に示した実施の形態では、４箇所に形成されているが、これに限られず、押釦ユニットケース１０４に１又は２箇所以上形成されていればよい。筒状部１０４ａは、押釦ユニットケース１０４の前面パネル４との当接面３０１から外へ突出した外径が筒状の形状を有し、筒状部１０４ａの略中心には前面パネルへ取り付けるためのねじが螺合するねじ穴１０４ｃが形成されている。あるいは、前面パネルへ取り付けるためのねじがタッピングねじの場合には、筒状部の略中心に下穴が形成されていればよい。
【００２０】
（防水パッキン）
図４は、防水パッキンの形状を示すものであり、（ａ）は、その断面、（ｂ）は、その平面を表す図である。防水パッキン２０１は、嵌合部２０１ａ、圧縮部２０１ｂ、ディスク部２０１ｃとから構成されている。
【００２１】
嵌合部２０１ａは、押釦ユニットケース１０４の筒状部１０４ａの根元部に形成された溝部１０４ｂに嵌合する形状を有し、嵌合部２０１ａが筒状部１０４ａに嵌合する内径ｄは、筒状部１０４ａの外径Ｄと同じか、小さく設定され、防水パッキン２０１は筒状部１０４ａへ挿入治具により軽圧入される。または、防水パッキン２０１の内径ｄと筒状部１０４ａの外径Ｄは呼び寸法で同じに設定され、公差の設定により軽圧入される形状寸法としてもよい。また、嵌合部２０１ａの厚みｔｐは、嵌合する溝部１０４ｂの溝幅ｔｍより大きく設定されている。または、嵌合部２０１ａの厚みｔｐと溝部１０４ｂの溝幅ｔｍは呼び寸法で同じに設定され、公差の設定により軽圧入される形状寸法としてもよい。具体的には、嵌合部２０１ａの厚みｔｐ及び溝部１０４ｂの溝幅ｔｍは、例えば、０．４５〜０．５ｍｍに設定される。また、溝部１０４ｂへの圧入を確実にするために、防水パッキン２０１の嵌合部２０１ａの嵌合深さｓｐと厚みｔｐの比は、１以上であることが好ましい。
【００２２】
圧縮部２０１ｂは、押釦ユニットケース１０４と前面パネル４の間に介在し、圧縮されることで、両者の間をシールして防水性を保つ部分である。圧縮部２０１ｂの幅ｗは、当接面３０１と押釦ユニットケース１０４の座ぐり面１０４ｃとの間隙寸法ｈよりも大きく設定されている。
【００２３】
ディスク部２０１ｃは、嵌合部２０１ａと圧縮部２０１ｂを連結する円盤状の部材であって、嵌合部２０１ａ及び圧縮部２０１ｂの幅ｗよりも小さく設定されている。
【００２４】
嵌合部２０１ａ、圧縮部２０１ｂ及びディスク部２０１ｃは、透過性を有するシリコンゴムで一体に形成されている。また、図４（ａ）に示すように、上下方向に対称な形状（表裏対称形状）で形成されている。
【００２５】
（筒状部の溝部の寸法）
筒状部１０４ａの根元部には、防水パッキン２０１が嵌合するための溝部１０４ｂが所定の寸法で形成されている。溝部１０４ｂの内側の直径は、筒状部１０４ａの外径Ｄと同じであり、所定の溝幅ｔｍ及び溝深さｓｍで溝部１０４ｂが形成されている。ここで、防水パッキン２０１が溝部１０４ｂに嵌合して脱落しないために、溝部１０４ｂの溝幅ｔｍは、嵌合部２０１ａの厚みｔｐの０．９以上１以下の寸法に設定されるのが好ましい。
【００２６】
溝深さｓｍは、防水パッキン２０１の嵌合深さｓｐと同一またはそれ以上の値に設定される。具体的には、嵌合深さｓｐは、例えば、０．４５〜０．５ｍｍに設定され、溝深さｓｍは、０．４５〜０．５ｍｍ以上に設定される。また、溝部の外側周縁であるＢ部は、０．１ｍｍ以下の面取り又はＲ面となっているのが好ましい。
【００２７】
（自動販売機用押釦スイッチ装置の前面パネルへの取り付け）
自動販売機用押釦スイッチ装置１００は、押釦ユニットケース１０４に、押釦１０１、スイッチ１０２等が実装された実装基板１０３を搭載して、自動販売機１の組立て用サブユニットとして、組立てライン等へ搬入される。自動販売機用押釦スイッチ装置１００には、組立てライン等へ搬入される前に、押釦ユニットケース１０４の筒状部１０４ａに、治具等で防水パッキン２０１が挿入され、溝部１０４ｂに嵌合した状態になっている。この状態では、防水パッキン２０１の嵌合部２０１ａと溝部１０４ｂとは圧入状態となっており、防水パッキン２０１は筒状部１０４ａから容易には脱落しないようになっている。あるいは、組立てライン等へ搬入された後に、治具等で防水パッキン２０１が挿入され、溝部１０４ｂに嵌合された状態で、自動販売機用押釦スイッチ装置１００は組立てライン等へ供給される。いずれの場合でも、自動販売機用押釦スイッチ装置１００を自動販売機１へ組立て加工する時点まで、防水パッキン２０１は押釦ユニットケース１０４の筒状部１０４ａに装着された状態となっている。
【００２８】
自動販売機用押釦スイッチ装置１００は、筒状部１０４ａが前面パネル４の取付け穴部４ａに挿入され、取付け金具２０２を介してねじ２０３により所定の力で固着される。このとき、防水パッキン２０１は、図３に示されるように、前面パネル４と押釦ユニットケース１０４の間に位置している。前面パネル４と押釦ユニットケース１０４とは当接面３０１で当接しているので、防水パッキン２０１は当接面３０１と押釦ユニットケース１０４の座ぐり面１０４ｃとにより圧縮された状態となっている。圧縮部２０１ｂの幅ｗは、当接面３０１と押釦ユニットケース１０４の座ぐり面１０４ｃとの間隙寸法ｈよりも大きく設定されているので、圧縮量に応じた力で圧縮部２０１ｂは前面パネル４及び座ぐり面１０４ｃに密着している。
【００２９】
（本発明の実施の形態の効果）
本発明の実施の形態によれば、以下の効果を有する。
（１）防水パッキン２０１は押釦ユニットケース１０４の溝部１０４ｂに圧入状態で装着されているので、組立てライン等への搬入時あるいは組立て時まで脱落するのが確実に防止でき、自動販売機用押釦スイッチ装置１００と前面パネル４との取付け部分における防水対策を確実に行うことができる。
（２）防水パッキン２０１の脱落防止は、押釦ユニットケース１０４に所定の形状で溝部１０４ｂを形成すればよいので、自動販売機用押釦スイッチ装置１００の簡単な形状変更のみで済み、従来の前面パネル４等の形状を変更する必要がないので、従来機種への適用が可能となる。
（３）押釦ユニットケース１０４の溝部１０４ｂは、スライド金型等を用いることなく単純な金型で構成可能であり、従来コストと同程度のコストで防水パッキン２０１の脱落防止が可能となる。
（４）防水パッキン２０１は、表裏において同じ形状で構成されているので、押釦ユニットケース１０４の筒状部１０４ａへの装着が容易である。
（５）防水パッキン２０１は、透過性のシリコンゴム等で形成されているので、自動販売機１の備える照明装置からの照明光が、前面パネル４及び自動販売機用押釦スイッチ装置１００の押釦ユニットケース１０４を透過して、押釦１０２の周囲を光らせるので、いわゆる輪郭照明が可能となる。
【図面の簡単な説明】
【００３０】
【図１】本発明の実施の形態に係る自動販売機用押釦スイッチ装置が装着される自動販売機の外観を示す図である。
【図２】自動販売機用押釦スイッチ装置の全体を示すものであり、（ａ）は、上から見た平面図、（ｂ）は、その横断面を示す図である。
【図３】図２に示すＡ部を拡大して示す図である。
【図４】防水パッキンの形状を示すものであり、（ａ）は、その断面、（ｂ）は、その平面を表す図である。
【符号の説明】
【００３１】
１  自動販売機
２  販売機本体
３  販売機前面部
４  前面パネル
１００  自動販売機用押釦スイッチ装置
１０１  押釦
１０２  スイッチ
１０３  実装基板
１０４  押釦ユニットケース
２０１  防水パッキン
２０２  取付け金具
２０３  ねじ
３０１  当接面
【図１】
2007065918.tif 000003
【図２】
2007065918.tif 000004
【図３】
2007065918.tif 000005
【図４】
2007065918.tif 000006